(57)【要約】【課題】  住居建物内の電化製品等の機器（製品）の使われ方を自動的に情報として収集し、それを自動制御にて再現させ在宅感を演出する。【解決手段】  住居建物内の電化製品と、マルチメディアと称される製品と、可動製品とからなる製品群と、温度および湿度や人の侵入を検知するための各種検知器１２０と、住居建物内の機器と通信網を繋ぐための通信回線と、製品群、各種検知器および通信回線を集中管理および制御する主制御装置１０３と、主制御装置が制御する際に用いる情報を記憶する記憶装置１０１と、主制御装置に指示を入力する入力装置１０２とを備えた防犯システムであって、製品群のそれぞれの使われ方と各種検知器からの情報を学習する学習手段と、学習手段からの情報を記憶装置に記録する記録手段とを有するパターン学習装置１０４を設けた。【選択図】  図１
2006235724.tif 000002
【特許請求の範囲】
【請求項１】
住居建物内の照明機器、調理機器およびＡＶ機器を含む電化製品と、パーソナルコンピュータおよびテレビゲームを含むマルチメディアと称される製品と、前記住居建物の窓、扉を含む可動製品とからなる製品群と、温度および湿度や人の侵入を検知するための各種検知器と、前記住居建物内の機器と通信網を繋ぐための通信回線と、前記製品群、前記各種検知器および前記通信回線を集中管理および制御する主制御装置と、前記主制御装置が制御する際に用いる情報を記憶する記憶装置と、前記主制御装置に指示を入力する入力装置とを備えた防犯システムであって、前記製品群のそれぞれの使われ方と前記各種検知器からの情報を学習する学習手段と、前記学習手段からの情報を前記記憶装置に記録する記録手段とを有するパターン学習装置を設けたことを特徴とする防犯システム。
【請求項２】
前記パターン学習装置は、前記学習手段の作動時間を、任意の時間に設定することができる学習時間設定手段を有する請求項１記載の防犯システム。
【請求項３】
前記住居建物内に集音装置と拡声装置を設け、前記パターン学習装置は、前記住居建物内で発せられる人の声や足音を含む任意の音情報を前記集音装置を用いて集音し、前記音情報を前記記憶装置に保存し、前記記憶装置に保存された任意の前記音情報を読み出して前記拡声装置から吹鳴する録音再生手段を有する請求項１記載の防犯システム。
【請求項４】
前記住居建物内外に敷設されている郵便受けへの投函物を、定期的に回収する郵便物回収手段を有する請求項１記載の防犯システム。
【請求項５】
前記住居建物内外に自家発電機と蓄電池を敷設し、前記自家発電機で作られた電力を前記蓄電池に蓄える充電手段と、前記自家発電機と前記蓄電池のどちらからでも前記住居建物内の各機器に電力供給を行える電力供給手段とを有する請求項１記載の防犯システム。
【発明の詳細な説明】
【技術分野】
【０００１】
本発明は、住居建物において使用される、在宅感を演出し賊等の侵入を防ぐ為の防犯システムに関するものである。
【背景技術】
【０００２】
図３は、従来の防犯システムに関する構成図を示すものである。同図において、３９９は住居建物である。
【０００３】
３０１は記憶装置、３０２は入力装置、３０３は主制御装置、３００は記憶装置３０１と、入力装置３０２と、主制御装置３０３から構成されるホームコントローラである。
【０００４】
３１１はインターネット等の通信網、３１０は通信網３１１とホームコントローラ３００を繋ぐ通信回線で電話回線／光ファイバー／ＬＡＮに代表されるインターネット等により構成され、３１２は放送局からの映像を受信する為のアンテナ、３２０は温度や湿度や人の存在等を検知するセンサーである。
【０００５】
３３０は照明機器、３３１は調理機器、３３２はエアコン、３３３は風呂場、３３５は住戸に設置されている扉、３３６は住戸に設置されている窓、３３４は扉３３５と窓３３６の窓／扉開閉器であり、３３７は一般家庭向け電力線で、照明機器３３０や調理機器３３１やエアコン３３２や風呂場３３３や窓／扉開閉器３３４と言った機器（製品）への電力供給を行なう。更に電力線３３７は機器（製品）への電力供給のみならずこれらの機器（製品）同士又はこれらの機器（製品）とホームコントローラ３００との間を規定のプロトコルに従って通信を行なうための設備でもある。
【０００６】
３４０はパソコン等のコンピュータ、３４１はテレビゲーム機、３４２はカメラ、３４３は通信を行なうための高速有線ケーブルで、これらは電力線３３７から電力供給を受けて作動するが、これらの機器（製品）同士又はこれらの製品（機器）とホームコントローラ３００との間の通信は、高速有線ケーブル３４３を用い規定のプロトコルに従って行なう。
【０００７】
３５１はテレビ、３５２はビデオデッキ、３５０は無線局でアンテナ３１２からの映像やテレビゲーム機３４１等からの映像を規定のプロトコルに従って高速な無線伝送によりテレビ３５１やビデオデッキ３５２へ送る。テレビ３５１とビデオデッキ３５２は無線局３５０との間で無線伝送ができる機能を有している。又これらの機器（製品）は電力線３３７から電力供給を受け作動する。
【０００８】
住居建物３９９内で人が生活を営む時は、目的に応じて機器（製品）を選び使う。例えば、食事を準備するために調理機器３３１を使い料理を行ない、部屋の明るさに応じて照明機器３３０により住居内の明るさを調整し、テレビ放送を見るときにはアンテナ３１２で受像した番組をテレビ３５１に映し出し楽しみ、テレビ番組を保存するときにはビデオデッキ３５２にて番組を録画し、保存した番組を見るときにはビデオデッキ３５２にて録画した番組を再生しテレビ３５１に映し出して楽しむ、ゲームをするときにはテレビゲーム機３４１とテレビ３５１によりゲームを楽しむ。
【０００９】
しかしながら、住居建物３９９にはいつも人が生活しているわけではなく、買い物等のちょっとした不在や旅行と言った外出もある。時間の長短に関わらず、この不在期間を狙って賊等が住居建物３９９内に侵入し、住居建物３９９内の金品等が盗まれる犯罪が近年増加している。
【００１０】
このような犯罪に対して、不在の場合においても、あたかも人が居るかのように見せかける在宅感の演出を行ない賊等の侵入を防ぐ方法がある。これは入力装置３０２を用いて「いつ、どの機器（製品）を、作動させるか」、「どのような条件になったら、どの機器（製品）を作動させるか」と言った、住居建物３９９内の機器（製品）作動パターンを予め入力しそれを記憶装置３０１に記憶させ、不在の間主制御装置３０３が記憶装置３０１に記憶されている機器（製品）作動パターンを読み出し、それに従い電力線３３７や高速有線ケーブル３４３や無線での通信にて住居建物３９９内の機器（製品）を自動制御し在宅感を演出する。
【００１１】
尚、機器（製品）作動パターンは複数、記憶装置３０１に記録することができ、様々な在宅演出を行なうことができる。
【００１２】
例えば、入力装置３０２より「７時〜１０時までテレビをつける」、「１８時になったら照明機器を灯す」、「部屋が暗くなったら照明機器を灯す」と言ったような作動パターンを入力すると、主制御装置３０３は設定時刻になったらテレビをつけ、センサー３２０によって住居建物３９９内が暗くなったと判断したら照明機器をつけるという自動制御を行なう。在宅演出が不必要な時は、入力装置３０２より機器（製品）作動パターンを停止させる。
【００１３】
又、この機器（製品）作動パターン入力／変更／削除／実施／停止等は、公衆電話や携帯電話などから通信網３１１を経由して行なうこともできる。
【００１４】
この構成に対し、在宅感を演出するシステムとしては、特許文献１のようなものがある。
【特許文献１】特開平１１−１３４５６９号公報
【発明の開示】
【発明が解決しようとする課題】
【００１５】
しかしながら上記のような構成では長期間の不在の場合、機器（製品）作動パターンの入力数が少ないと同じ機器（製品）作動パターンを繰り返すことになり、賊に不在であることを見抜かれやすくなる。これに対しては機器（製品）作動パターンの更新頻度を上げるか作動パターン数を多くする手段があるが、複数入力には手間が掛かり、様々な作動パターンを考えるのも煩わしく使い勝手が良いとは言えない。
【００１６】
したがって、本発明の目的は、上記問題点を解決するもので、一般家庭向けの賊等からの住居侵入等を未然に防ぐための防犯システムにおいて、在宅感を演出するための機器（製品）作動パターンの思考と入力処理／更新処理を自動的に行ない、自動的に入力／更新された機器（製品）作動パターンに従い住居建物内の機器（製品）を電力線／高速有線ケーブル／無線通信等を用いた家庭内ネットワークを介して制御することで従来よりも実生活に近い在宅感を演出し、賊等に対する防犯性を向上させる防犯システムを提供することである。
【課題を解決するための手段】
【００１７】
上記課題を解決するために本発明の請求項１記載の防犯システムは、住居建物内の照明機器、調理機器およびＡＶ機器を含む電化製品と、パーソナルコンピュータおよびテレビゲームを含むマルチメディアと称される製品と、前記住居建物の窓、扉を含む可動製品とからなる製品群と、温度および湿度や人の侵入を検知するための各種検知器と、前記住居建物内の機器と通信網を繋ぐための通信回線と、前記製品群、前記各種検知器および前記通信回線を集中管理および制御する主制御装置と、前記主制御装置が制御する際に用いる情報を記憶する記憶装置と、前記主制御装置に指示を入力する入力装置とを備えた防犯システムであって、前記製品群のそれぞれの使われ方と前記各種検知器からの情報を学習する学習手段と、前記学習手段からの情報を前記記憶装置に記録する記録手段とを有するパターン学習装置を設けた。
【００１８】
請求項２記載の防犯システムは、請求項１記載の防犯システムにおいて、前記パターン学習装置は、前記学習手段の作動時間を、任意の時間に設定することができる学習時間設定手段を有する。
【００１９】
請求項３記載の防犯システムは、請求項１記載の防犯システムにおいて、前記住居建物内に集音装置と拡声装置を設け、前記パターン学習装置は、前記住居建物内で発せられる人の声や足音を含む任意の音情報を前記集音装置を用いて集音し、前記音情報を前記記憶装置に保存し、前記記憶装置に保存された任意の前記音情報を読み出して前記拡声装置から吹鳴する録音再生手段を有する。
【００２０】
請求項４記載の防犯システムは、請求項１記載の防犯システムにおいて、前記住居建物内外に敷設されている郵便受けへの投函物を、定期的に回収する郵便物回収手段を有する。
【００２１】
請求項５記載の防犯システムは、請求項１記載の防犯システムにおいて、前記住居建物内外に自家発電機と蓄電池を敷設し、前記自家発電機で作られた電力を前記蓄電池に蓄える充電手段と、前記自家発電機と前記蓄電池のどちらからでも前記住居建物内の各機器に電力供給を行える電力供給手段とを有する。
【発明の効果】
【００２２】
本発明の請求項１記載の防犯システムによれば、製品群のそれぞれの使われ方と各種検知器からの情報を学習する学習手段と、学習手段からの情報を記憶装置に記録する記録手段とを有するパターン学習装置を設けたので、日常生活における製品群の使われ方を、機器（製品）作動パターン情報として自動的に記憶装置へそのまま記憶できる。このため、入力作業の煩わしさと、複雑な機器（製品）作動パターンの思案作業から解放される。また、記憶させた作動パターンをそのまま再現することが可能なので、従来に比べ高い在宅感を演出することができ、賊等に対する防犯性が向上する。
【００２３】
請求項２では、パターン学習装置は、学習手段の作動時間を、任意の時間に設定することができる学習時間設定手段を有するので、予め作動パターン学習時間を設定できる。
【００２４】
請求項３では、住居建物内に集音装置と拡声装置を設け、パターン学習装置は、住居建物内で発せられる人の声や足音を含む任意の音情報を集音装置を用いて集音し、音情報を記憶装置に保存し、記憶装置に保存された任意の音情報を読み出して拡声装置から吹鳴する録音再生手段を有するので、住居建物内での発生音又は、住居人の声を集音及び記録し、それを任意の設定で吹鳴させることにより、住居人が実際に生活しているような在宅感を演出できるので、更に防犯性が向上する。
【００２５】
請求項４では、住居建物内外に敷設されている郵便受けへの投函物を、定期的に回収する郵便物回収手段を有するので、郵便受けと住居建物を管等でつなぎ、投函された郵便物を定期的に取り込むようにすることで郵便物等の溜まりを防ぐことができ、住居人が実際に生活しているような在宅感を演出できるので、更に防犯性が向上する。
【００２６】
請求項５では、住居建物内外に自家発電機と蓄電池を敷設し、自家発電機で作られた電力を蓄電池に蓄える充電手段と、自家発電機と蓄電池のどちらからでも住居建物内の各機器に電力供給を行える電力供給手段とを有するので、使用状況にあわせて経済的な電力源を使うことができる。更に、停電時においても自家発電機又は蓄電池の併用により、住居建物内の機器（製品）の使用と本防犯システムを使用継続が可能になる。
【発明を実施するための最良の形態】
【００２７】
以下、本発明の第１の実施形態を図１および図２に基づいて説明する。
【００２８】
図１は本発明の第１の実施形態の防犯システムを示す構成図である。同図において、１９９は住居建物である。
【００２９】
１０１は記憶装置、１０２は入力装置、１０３は主制御装置、１０４は機器（製品）作動パターン学習装置（以下、パターン学習装置と称す）、１００は記憶装置１０１と、入力装置１０２と、主制御装置１０３と、パターン学習装置１０４から構成されるホームコントローラである。
【００３０】
１１１はインターネット等の通信網、１１０は通信回線で通信網１１１とホームコントローラ１００を繋ぐ物で電話回線／光ファイバー／ＬＡＮに代表されるインターネット等により構成され、１１２はアンテナで放送局からの映像を受信し、１１３は自家発電機で一般家庭向けの太陽電池などで構成され、１１４は蓄電池で自家発電機１１３から供給される電力を充電したり住居建物１９９内の機器（製品）への電力供給を行ない、１１５は郵便受け、１２０は温度や湿度や人の存在等を検知するセンサーである。
【００３１】
電化製品として、１３０は照明機器、１３１は調理機器、１３２はエアコン、１３３は風呂場で、可動製品として、１３５は住戸に設置されている扉、１３６は住戸に設置されている窓、１３４は扉１３５と窓１３６の開閉器であり、１３７は一般家庭向け電力線で、照明機器１３０や調理機器１３１やエアコン１３２や風呂場１３３や窓／扉開閉器１３４と言った機器（製品）への電力供給を行なう。更に電力線１３７は機器（製品）への電力供給のみならずこれらの機器（製品）同士又はこれらの機器（製品）とホームコントローラ１００との間を規定のプロトコルに従って通信を行なうための設備でもある。
【００３２】
マルチメディアと称される製品として、１４０はパソコン等のコンピュータ、１４１はテレビゲーム機、１４２はカメラで、１４３はマイク等の集音装置、１４４はスピーカー、１４５は通信が可能な高速有線ケーブルで、これらは電力線１３７から電力供給を受けて作動するが、これらの機器（製品）同士又はこれらの製品（機器）とホームコントローラ１００との間の通信は、高速有線ケーブル１４５を用い規定のプロトコルに従って行なう。カメラ１４２は住居建物１９９内の様子をとらえることが可能で、とらえた映像は高速有線ケーブル１４５を介して記憶装置１０１へ記録することができる。
【００３３】
１５１はテレビ、１５２はビデオデッキ、１５０は無線局でアンテナ１１２からの映像やテレビゲーム機１４１等からの映像を規定のプロトコルに従って高速な無線伝送によりテレビ１５１やビデオデッキ１５２へ送る。テレビ１５１とビデオデッキ１５２は無線局１５０との間で無線伝送ができる機能を有している。又これらの機器（製品）は電力線１３７から電力供給を受け作動する。
【００３４】
主制御装置１０３は、上記電化製品とマルチメディアと称される製品と可動製品とからなる製品群、各種検知器および通信回線を集中管理および制御する。
【００３５】
パターン学習装置１０４は、製品群のそれぞれの使われ方と各種検知器からの情報を学習する学習手段と、学習手段からの情報を記憶装置１０１に記録する記録手段とを有する。具体的には、パターン学習装置１０４は主制御装置１０３と同様に電力線１３７／高速有線ケーブル１４５による有線通信及び、無線局１５０による無線通信にて住居建物１９９内の機器（製品）と繋がっている。そして機器（製品）がどのように使用されるかを学習し、その学習結果を記憶装置１０１へ書き込む。入力装置１０２はパターン学習装置１０４のパターン学習機能の作動／停止の選択、パターン学習処理時間の入力、記憶装置１０１に記憶されている機器（製品）の作動パターン実施／停止／削除の選択が行なえる。又、従来の「いつ、どの機器（製品）を作動させるか」、「どのような条件になったら、どの機器（製品）を作動させるか」といった入力も行なうことができ、入力後その情報は記憶装置１０１に書き込まれ保存される。主制御装置１０３は記憶装置１０１に記録されている機器（製品）の作動パターンを読み出し、それに従って住居建物１９９内の機器（製品）を自動制御する。尚、住居建物１９９に敷設される機器（製品）は本実施形態に挙げている物だけによる構成とは限定しない。本実施形態に挙げた機器（製品）が排除されたり、他の機器（製品）が追加されている構成でもよい。
【００３６】
図２は、本発明の実施形態において、住居建物１９９内の機器（製品）がどのように使われたかを示した任意期間の生活パターン例である。同図において、縦軸は図１中の機器（製品）名、横軸は時刻を示している。
【００３７】
パターン学習装置１０４は住居建物１９９内の機器（製品）がどのように使用されているかという情報を電力線１３７／高速有線ケーブル１４５による有線通信及び、無線局１５０による無線通信にて機器（製品）と規定のプロトコルに従って通信を行ないながら情報を取得する（作動パターン学習処理）。
【００３８】
入力装置１０２により「パターン学習装置１０４を停止」が選択されると、パターン学習装置１０４は住居建物１９９内の機器（製品）の作動パターン学習処理を行なわない。更に、記憶装置１０１への監視結果記録も行なわない。
【００３９】
入力装置１０２により５時に「パターン学習装置１０４を作動」が選択、１２時に「パターン学習装置１０４を停止」が選択された場合、図２によると照明機器１３０は５時半〜６時半に点灯、調理機器１３１は５時半〜７時及び１１時半から使用、エアコン１３２は１０時から稼動、窓１３６は８時〜１０時に開放、テレビ１５１は６時から視聴、ビデオデッキ１５２は使用されていない、コンピュータ１４０は１０時〜１１時に使用、風呂場１３３は７時〜７時半に使用されたという作動パターン情報がパターン学習装置１０４に送られる。取得した作動パターン情報の保存は、入力装置１０２によって「パターン学習装置１０４を作動」が選択された時から任意の時間毎にパターン学習装置１０４が記憶装置１０１へ書き込む。この書き込むタイミングは任意の秒／分／時間単位のいずれでもよい。作動パターン学習処理が行われている最中に入力装置１０２から「パターン学習装置１０４を停止」が選択された時は、前回の記録からパターン学習装置１０４が停止した時点迄の作動パターン情報を記憶装置１０１へ書き込み、作動パターン学習処理を終了する。
【００４０】
作動パターン学習処理は、入力装置１０２によるパターン学習装置１０４の作動／停止制御だけでなく、予め作動パターン学習時間を設定できるようになっている（学習時間設定手段）。入力装置１０２から任意の作動パターン学習時間を入力し、その後「パターン学習装置１０４を作動」を選択すると、パターン学習装置１０４は前記同様に住居建物１９９内の機器（製品）と電力線１３７／高速有線ケーブル１４５による有線通信及び、無線局１５０による無線通信にて機器（製品）と規定のプロトコルに従って通信を行ないながら作動パターン情報を取得し、それを任意の時間毎に記憶装置１０１へ書き込み、設定された作動パターン学習時間が経過すると自動的に作動パターン学習処理を中止し、前回の記録から作動パターン学習処理を中止した時点までの作動パターン情報を記憶装置１０１へ書き込む。設定された作動パターン学習時間前に、入力装置１０２による「パターン学習装置１０４を停止」が選択された場合その時点で作動パターン学習処理を中止し、前回の記録から作動パターン学習処理を中止した時点までの作動パターン情報を記憶装置１０１へ書き込む。これにより旅行等の長期間の不在、近所への買い物等の短時間の不在に対応できる様々な作動パターン情報を簡単に作成することができる。
【００４１】
パターン学習装置１０４によって取得される作動パターン情報は、記憶装置１０１の記憶容量が許す限り、作動パターンの時間長、作動パターン数に関係なくすべてを保存できる。又、不要な作動パターン情報は入力装置１０２からの選択及び入力により削除することもできる。
【００４２】
パターン学習装置１０４によって書き込まれ、記憶装置１０１に保存されている機器（製品）の作動パターン情報は、主制御装置１０３によって再現することができる。入力装置１０２によって「作動パターン実施」が選択されると主制御装置１０３は記憶装置１０１から任意の機器（製品）の作動パターン情報を読み出して、その内容に従い電力線１３７／高速有線ケーブル１４５／無線局１５０による無線通信にて接続されている住居建物１９９内の機器（製品）を自動制御して、住居建物１９９内に住人が居るかのかのような在宅感を演出する。もし読み出した作動パターン情報の機器（製品）が住居建物１９９内に存在しない場合は、その機器（製品）に対する自動制御は行なわない。
【００４３】
記憶装置１０１に保存されている作動パターン情報の内、時刻に関しては標準時刻が記録されることになるが、作動パターン再現時この標準時刻通りに機器（製品）を自動制御するのは勿論、時間を相対的にずらして機器（製品）を自動制御することもできる。例えば「５時半〜６時半に照明機器１３０を灯す」という作動パターンが記憶装置１０１に保存されているとして、通常この作動パターン情報による自動制御を選択すれば５時半〜６時半に照明機器１３０が灯されるが、「『５時半〜６時半に照明機器１３０を灯す』作動パターンを１時間ずらして実行」なる操作を入力装置１０２によって行なうことが可能で、この入力により６時半〜７時半に照明機器１３０を灯す自動制御を行なうことができる。
【００４４】
又、主制御装置１０３による住居建物１９９内の機器（製品）の自動制御は、上記で説明したパターン学習装置１０４によって書き込まれた情報によるものと、従来の手段で入力した「いつ、どの機器（製品）を作動させるか」、「どのような条件になったら、どの機器（製品）を作動させるか」と組み合わせることもできる。例えば、ある作動パターンがテレビ１５１のオン／オフしか記録されていない場合、「１７時〜２３時に照明機器１３０を作動させる」なる作動パターンを追加・実施することができ「明かりのついた部屋でテレビをみている」という演出が可能である。
【００４５】
又、本実施形態における、機器（製品）作動パターン入力／変更／削除／実施／停止は、従来通り公衆電話や携帯電話などから通信網１１１を経由して行なうことができる。
【００４６】
以上のように本実施形態によれば、「パターン学習装置の作動と停止」又は「パターン学習装置の学習時間設定と作動」のように少ない入力操作で住居建物内の機器（製品）の作動パターン情報を自動的に取得しそれを記憶装置へ自動的に書き込むことができ、更に記憶させた機器（製品）の作動パターン情報をそのまま再現、あるいは時間をずらして再現することが可能なので、複雑な機器（製品）制御パターンの思案作業と入力作業の煩わしさから解放され、更に従来に比べ在宅感を向上させることができる。
【００４７】
以下、本発明の第２の実施形態について図面を参照しながら説明する。
【００４８】
本発明の実施形態の防犯システムを示す構成図は図１と同様である。図１において、上記実施形態と同一構成要素には同じ番号を付し説明は省略する。
【００４９】
住居建物内に集音装置１４３と拡声装置１４４を設け、パターン学習装置１０４によって住居建物１９９内の機器（製品）の作動パターン学習処理が行なわれるとき、機器（製品）の作動パターン情報だけを取得するのではなく、敷設されている集音装置１４３を用いて住居建物１９９内で発生する人の声や足音を含む任意の音情報を集音し、それを住居建物１９９内の機器（製品）の作動パターンと同じく記憶装置１０１へ書き込み、記憶装置１０１に保存された任意の音情報を読み出して拡声装置１４４から吹鳴する録音再生手段を有する。或いは予め集音装置１４３を用いて音声を集音し、それを記憶装置１０１へ書き込んでもよい。
【００５０】
この場合、主制御装置１０３により、記憶装置１０１から住居建物１９９内の機器（製品）の作動パターンが読み出され機器（製品）の自動制御が行なわれているとき、集音装置１４３にて集音された音声をスピーカー１４４からから吹鳴させる。又は、従来の制御方法により「１９：００に音声『みんな、ごはんよ』を吹鳴」や「７：００に音声『起きなさい』を吹鳴」と言った作動パターンと組み合わせて在宅感を演出する。尚、集音はその住居建物１９９内で生活している者の音声が防犯上は好ましいが限定はしない。
【００５１】
又は、予め食事の時間帯や就寝時間帯の情報を入力装置１０２から記憶装置１０１に記憶させておき、主制御装置１０３はその時間帯が来たときに自動的に対応する音声を吹鳴させる方法でも良い。
【００５２】
以上のように本実施形態によれば、住居建物内での発生音又は、住居人の声を集音及び記録し、それを任意の設定で吹鳴させることにより、住居人が実際に生活しているような在宅感を演出できるので、更に防犯性が向上する。
【００５３】
以下、本発明の第３の実施形態について図面を参照しながら説明する。
【００５４】
本発明の実施形態の防犯システムを示す構成図は図１と同様である。図１において、上記実施形態と同一構成要素には同じ番号を付し説明は省略する。
【００５５】
本発明の上記実施形態において説明したように、ホームコントローラ１００により住居建物１９９内の機器（製品）と、音声吹鳴の自動制御により在宅感を演出するが、住居人が不在である以上、郵便物等の受け取りは対応できない。つまり不在中に受けた郵便物等は住居建物１９９内外に敷設されている郵便受け１１５から引き取られることなく溜まっていくことになる。これにより賊等から在宅感が演出であることを見抜かれるおそれがある。
【００５６】
そこで郵便受け１１５と住居建物１９９内をダストシューターのような長い管等で接続し、郵便受けに投函された郵便物等をその長い管等を介して住居建物１９９内に取り込む装置を敷設する。住居建物１９９内に取り込むタイミングは入力装置１０２によって設定可能で、その設定した時間ごとに郵便物等を住居建物１９９内に取り込む。また郵便受け１１５に重量感知センサーを設け、そのセンサーにより郵便物等が投函されたことを検知すると住居建物１９９内に郵便物等を取り込むしくみでもよい。
【００５７】
以上のように本実施形態によれば、郵便受けと住居建物を管等でつなぎ、投函された郵便物を定期的に取り込むようにすることで郵便物等の溜まりを防ぐことができ、住居人が実際に生活しているような在宅感を演出できるので、更に防犯性が向上する。
【００５８】
以下、本発明の第４の実施形態について図面を参照しながら説明する。
【００５９】
本発明の実施形態の防犯システムを示す構成図は図１と同様である。図１において、上記実施形態と同一構成要素には同じ番号を付し説明は省略する。
【００６０】
ホームコントローラ１００を含む、住居建物１９９内の機器（製品）は通常、住居建物１９９に引き込まれている一般商用電源を用いて作動及び自動制御されている。
【００６１】
この構成に、自家発電機１１３と蓄電池１１４を敷設する。また、自家発電機１１３で作られた電力を蓄電池１１４に蓄える充電手段と、自家発電機１１３と蓄電池１１４のどちらからでも住居建物１１９内の各機器に電力供給を行える電力供給手段とを有する。一般商用電源を用いて住居建物１９９内の機器（製品）を使用及び、ホームコントローラ１００による自動制御が行なわれているとき、主制御装置１０３は自家発電機１１３によって作られた電力を蓄電池１１４へ充電するように制御する。
【００６２】
もし蓄電池１１４への充電が完了状態ならば、主制御装置１０３は自家発電機１１３から蓄電池１１４への充電処理を行なわないようにする。この場合入力装置１０２で「住居建物１９９内の機器（製品）は自家発電機１１３によって作られた電力を使って作動させる」、或いは「一般商用電源を使って作動させる」の電力源選択を行ない、その選ばれた電力源にて住居建物１９９内の機器（製品）を作動させる。もし一般商用電源が選ばれたとしたら、自家発電機１１３によって作られ余った電力は電力会社へ売ることも可能である。
【００６３】
又、主制御装置１０３は一般商用電源の停電検知機能を有しており、停電を検知すると住居建物１９９内の機器（製品）を作動させる電力源を自家発電機１１３又は蓄電池１１４に切り換える。選択の判断基準としては、太陽光が期待できる日中であれば自家発電機１１３、夜間及び天候が良くないときは蓄電池１１４を選択する。尚、選択基準は状況に合わせて選べば良く、この限りではない。
【００６４】
以上のように本実施形態によれば、自家発電機と蓄電池を敷設し住居人が自家発電機／蓄電池／一般商用電源のどれを使うか選択又は、状況に応じてホームコントローラが自動的に電力源を選択することで、使用状況にあわせて経済的な電力源を使うことができる。
更に、停電時においても自家発電機又は蓄電池の併用により、住居建物内の機器（製品）の使用と本防犯システムを使用継続が可能になる。更に、余った電力は電力会社へ売ることが可能である。
【産業上の利用可能性】
【００６５】
本発明にかかる防犯システムは、一般家庭における賊等からの住居侵入等を未然に防ぐための防犯システムとして有用である。
【図面の簡単な説明】
【００６６】
【図１】本発明の実施形態の防犯システムの構成図である。
【図２】本発明の実施形態において住居建物内の機器（製品）の使用例の説明図である。
【図３】従来の防犯システムの構成図である。
【符号の説明】
【００６７】
１００  ホームコントローラ
１０１  記憶装置
１０２  入力装置
１０３  主制御装置
１０４  パターン学習装置
１１０  通信回線
１１１  通信網
１１２  アンテナ
１１３  自家発電機
１１４  蓄電池
１１５  郵便受け
１２０  センサー
１３０  照明機器
１３１  調理機器
１３２  エアコン
１３３  風呂場
１３４  窓／扉開閉器
１３５  扉
１３６  窓
１４０  コンピュータ
１４１  テレビゲーム
１４２  カメラ
１４３  集音装置
１４４  スピーカー
１５０  無線局
１５１  テレビ
１５２  ビデオデッキ
【図１】
2006235724.tif 000003
【図２】
2006235724.tif 000004
【図３】
2006235724.tif 000005